(57)【要約】  【構成】  ビデオエンコーダ２６は、イメージセンサ１２で撮影された画像を縮小し、縮小された画像（有効画像）と単一色の無効画像とを有するレターボックス画像を作成する。作成されたレターボックス画像は、ビデオ出力端子Ｔからワイドテレビ５０に出力される。ここでワイドテレビ５０は、無効画像が黒色を有するときに有効画像を拡大倍率で表示するテレビである。ＣＰＵ１８は、色変更操作を受け付けたとき、ビデオエンコーダ２６の設定を変えることで、レターボックス画像を形成する無効画像の色を変更する。  【効果】  色変更操作の有無によって、外部モニタに表示される有効画像の倍率が変化する。換言すれば、画像処理装置に向けた操作によって、外部モニタの動作が制御される。この結果、撮影された画像を外部モニタを用いて快適に鑑賞することができる。【選択図】  図１
2006345217.tif 000002
【特許請求の範囲】
【請求項１】
第１有効画像と単一色の無効画像とを有する複合画像を作成する作成手段、
前記作成手段によって作成された複合画像を前記無効画像が所定色を有するときに前記第１有効画像を拡大倍率で表示する外部モニタに向けて出力する出力手段、および
色変更操作を受け付けたとき前記作成手段によって作成される複合画像を形成する無効画像の色を前記所定色と異なる色に変更する変更手段を備える、画像処理装置。
【請求項２】
前記色変更操作は色指定操作を含み、
前記変更手段は前記色指定操作によって指定された色に変更する、請求項１記載の画像処理装置。
【請求項３】
前記第１有効画像は第１アスペクト比に従い、
前記複合画像は前記第１アスペクト比とは異なる第２アスペクト比に従う、請求項１または２記載の画像処理装置。
【請求項４】
前記出力手段は前記第２アスペクト比に従う第２有効画像をさらに出力し、
前記外部モニタは前記第２有効画像を等倍で表示する、請求項３記載の画像処理装置。
【請求項５】
前記出力手段によって出力すべき画像を前記複合画像と前記第２有効画像との間で切り換える切り換え手段をさらに備える、請求項４記載の画像処理装置。
【請求項６】
被写界を撮影する撮影手段をさらに備え、
前記第１有効画像および前記第２有効画像の各々は前記撮影手段によって撮影された被写界像である、請求項１ないし５のいずれかに記載の画像処理装置。
【請求項７】
前記第１有効画像は動画像であり、
前記第２有効画像は静止画像である、請求項６記載の画像処理装置。
【発明の詳細な説明】
【技術分野】
【０００１】
この発明は、画像処理装置に関し、特にたとえばディジタルカメラに適用され、撮影された画像を外部モニタに向けて出力する、画像処理装置に関する。
【背景技術】
【０００２】
周知の如く、従来のディジタルハイビジョンカメラで撮影された動画像（以下“ハイビジョン画像”）は、たとえば１２８０＊７２０などのように、通常１６：９のアスペクト比を有する。従来のディジタルスチルカメラで撮影された静止画像（以下“スチル画像”）は、たとえば１２８０＊９６０，２５６０＊１９２０などのように、通常４：３のアスペクト比を有する。
【０００３】
従来のモニタは一般に、解像度が６４０＊４８０のビデオ信号を入力するためのビデオ入力端子を有する。従来の画像処理装置は、スチル画像またはハイビジョン画像に基づいて、ビデオ入力端子に適合するビデオ信号を生成する。具体的には、たとえば１２８０＊９６０の原画像を６４０＊４８０に縮小し、縮小された画像をビデオ信号に変換する。または、１２８０＊７２０のハイビジョン記録画像を６４０＊３６０に縮小し、縮小された画像（有効画像）とこの上下に結合される６４０＊１２０相当の黒画像（無効画像）とを有する複合画像（いわゆるレターボックス画像）を作成し、そして作成された複合画像をビデオ信号に変換する。
【０００４】
従来この種の複合画像を作成する技術は、特許文献１に開示されている。なお、この従来技術は、モニタに表示された複合画像をフェードアウトするとき、無効画像に対応する期間とこれ以外の期間とで値が異なるような垂直切り換え制御信号を生成し、生成された垂直切り換え制御信号に基づいて無効画像の色を切り換えることで、フェードアウトに伴って現れる背景の色と無効画像の色とを互いに異ならせるようにしている。
【特許文献１】特開平１１−７５２１４号公報〔Ｈ０４Ｎ ９／７４，５／２６２，５／４６，９／６４〕
【発明の開示】
【発明が解決しようとする課題】
【０００５】
ところで、アスペクト比１６：９のワイド画面を有するワイドモニタは一般に、複合画像が入力されたとき表示倍率を切り換える表示倍率自動切換え機能を有する。具体的には、入力画像の上下端近傍つまり無効画像に対応する部分が黒色であれば有効画像を拡大倍率で表示し、そうでなければ入力画像の全部を等倍で表示する。
【０００６】
一方、最近、ハイビジョン記録とスチル記録とを共に行えるようなディジタルカメラが検討されている。かかるディジタルカメラに従来の画像処理装置を適用したとすると、ワイドモニタを用いて画像を鑑賞する際、表示倍率が頻繁に変更され、これによって不快感を覚える場合がある。倍率変更は、表示画像がハイビジョン画像からスチル画像に切り替わるとき、あるいはスチル画像からハイビジョン画像に切り替わるときに起こる。
【０００７】
それゆえに、この発明の主たる目的は、撮影された画像を外部モニタを用いて快適に鑑賞できる、画像処理装置を提供することである。
【課題を解決するための手段】
【０００８】
請求項１の発明に従う画像処理装置は、第１有効画像と単一色の無効画像とを有する複合画像を作成する作成手段(26)、作成手段によって作成された複合画像を無効画像が所定色を有するときに第１有効画像を拡大倍率で表示する外部モニタ(50)に向けて出力する出力手段(SW)、および色変更操作を受け付けたとき作成手段によって作成される複合画像を形成する無効画像の色を所定色と異なる色に変更する変更手段(S51,S53,S55,S59,S83)を備える。
【０００９】
作成手段は、有効画像と単一色の無効画像とを有する複合画像を作成する。作成手段によって作成された複合画像は、出力手段によって外部モニタに向けて出力される。ここで、外部モニタは、無効画像が所定色を有するときに有効画像を拡大倍率で表示するモニタである。変更手段は、色変更操作を受け付けたとき、作成手段によって作成される複合画像を形成する無効画像の色を所定色と異なる色に変更する。
【００１０】
つまり、色変更操作の有無によって、外部モニタに表示される有効画像の倍率が変化する。換言すれば、画像処理装置に向けた操作によって、外部モニタの動作が制御される。この結果、画像を外部モニタを用いて快適に鑑賞することができる。
【００１１】
請求項２の発明に従う画像処理装置は、請求項１に従属し、色変更操作は色指定操作を含み、変更手段は色指定操作によって指定された色に変更する。
【００１２】
無効画像が所定色とは異なる色を有していれば、外部モニタは複合画像つまり有効画像および無効画像の両方を等倍で表示する。請求項２の発明によれば、色指定操作を通して好みの色を指定することで、無効画像が表示されたことによる不快感を軽減できる。
【００１３】
請求項３の発明に従う画像処理装置は、請求項１または２に従属し、第１有効画像は第１アスペクト比に従い、複合画像は第１アスペクト比とは異なる第２アスペクト比に従う。
【００１４】
請求項４の発明に従う画像処理装置は、請求項３に従属し、出力手段は第２アスペクト比に従う第２有効画像をさらに出力し、外部モニタは第２有効画像を等倍で表示する。
【００１５】
第１アスペクト比に従う第１有効画像を表示するとき、出力手段は第２アスペクト比に従う複合画像を出力し、外部モニタは、複合画像を形成する無効画像が所定色を有していれば複合画像を形成する第１有効画像を拡大倍率で表示し、複合画像を形成する無効画像が所定色とは異なる色を有していれば複合画像を等倍で表示する。第２アスペクト比に従う第２有効画像を表示するとき、出力手段は第２有効画像を出力し、外部モニタは第２有効画像を等倍で表示する。
【００１６】
つまり、色変更操作によって、複合画像を第２有効画像と同様、外部モニタに等倍で表示させることができる。
【００１７】
請求項５の発明に従う画像処理装置は、請求項４に従属し、出力手段によって出力すべき画像を複合画像と第２有効画像との間で切り換える切り換え手段(S89)をさらに備える。
【００１８】
切り換え手段は、出力手段によって出力すべき画像を、複合画像と第２有効画像との間で切り換える。これにより、外部モニタの表示倍率の変化が抑制される。
【００１９】
請求項６の発明に従う画像処理装置は、請求項１ないし５のいずれかに従属し、被写界を撮影する撮影手段(12)をさらに備え、第１有効画像および第２有効画像の各々は撮影手段によって撮影された被写界像である。
【００２０】
請求項７の発明に従う画像処理装置は、請求項６に従属し、第１有効画像は動画像であり、第２有効画像は静止画像である。
【発明の効果】
【００２１】
この発明によれば、撮影された画像を外部モニタを用いて快適に鑑賞することができる。
【００２２】
この発明の上述の目的，その他の目的，特徴および利点は、図面を参照して行う以下の実施例の詳細な説明から一層明らかとなろう。
【発明を実施するための最良の形態】
【００２３】
図１を参照して、この実施例のディジタルカメラ１０は、イメージセンサ１２を含む。被写界の光学像は、イメージセンサ１２の受光面つまり撮像面に照射され、撮像面では、光電変換によって被写体の光学像に対応する電荷つまり生画像信号が生成される。
【００２４】
被写体のリアルタイム動画像つまりスルー画像をＬＣＤモニタ３８に表示するとき、ＣＰＵ１８は、プリ露光および間引き読み出しの繰り返しをイメージセンサ１２に命令する。イメージセンサ１２は、プリ露光とこれによって生成された生画像信号の間引き読み出しとを繰り返し実行する。イメージセンサ１２からは、被写体の光学像に対応する低解像度の生画像信号が出力される。
【００２５】
出力された生画像信号は、信号処理回路１４によってＡ／Ｄ変換，色分離，ＹＵＶ変換などの処理を施され、ＹＵＶ形式の画像データに変換される。変換された画像データはＳＤＲＡＭ２４に書き込まれ、その後ＳＤＲＡＭ２４から読み出される。ビデオエンコーダ２６は、読み出された画像データをＮＴＳＣフォーマットに従うコンポジットビデオ信号に変換し、変換されたコンポジットビデオ信号を加算器３０およびスイッチＳＷを介してＬＣＤモニタ３８に与える。この結果、被写体のスルー画像がモニタ画面に表示される。
【００２６】
操作キー２２によって静止画撮影操作が行われると、システムコントローラ２０がこれを受け付け、対応する信号をＣＰＵ１８に入力する。この信号に応答して、ＣＰＵ１８は、静止画用の本露光とこの本露光によって生成された全ての電荷の読み出しとをイメージセンサ１２に命令する。イメージセンサ１２は、静止画用の本露光とこれによって生成された全ての電荷つまり最高解像度（ここでは２５６０＊１９２０）の生画像信号を出力する。出力された生画像信号は、信号処理回路１４によってＡ／Ｄ変換，色分離，ＹＵＶ変換などの処理を施され、ＹＵＶ形式の画像データに変換される。変換された画像データはＳＤＲＡＭ２４に書き込まれ、その後ＳＤＲＡＭ２４から読み出される。読み出された画像データは、ＪＰＥＧコーデック３２に与えられ、ＪＰＥＧ圧縮を施される。ＪＰＥＧ圧縮を施された画像データは、ＳＤＲＡＭ２４に書き込まれ、その後ＳＤＲＡＭ２４から読み出される。ＣＰＵ１８は、読み出された圧縮画像データをＪＰＥＧファイル形式で記録媒体３６に記録する。
【００２７】
操作キー２２によって動画撮影操作が行われると、ＣＰＵ１８は、動画用の本露光および間引き読み出しの繰り返しをイメージセンサ１２に命令する。イメージセンサ１２は、動画用の露光とこれによって生成された生画像信号の間引き読み出しとを繰り返し実行する。イメージセンサ１２からは、被写体の光学像に対応するＨＤ解像度（たとえば１２８０＊７２０）の生画像信号が出力される。出力された生画像信号は、信号処理回路１４によってＡ／Ｄ変換，色分離，ＹＵＶ変換などの処理を施され、ＹＵＶ形式の画像データに変換される。変換された画像データはＳＤＲＡＭ２４に書き込まれ、その後ＳＤＲＡＭ２４から読み出される。読み出された画像データは、ＭＰＥＧコーデック３４に与えられ、ＭＰＥＧ圧縮を施される。ＭＰＥＧ圧縮を施された画像データは、ＳＤＲＡＭ２４に書き込まれ、その後ＳＤＲＡＭ２４から読み出される。ＣＰＵ１８は、読み出された圧縮画像データをＭＰＥＧファイル形式で記録媒体３６に記録する。
【００２８】
こうして記録された静止画像や動画像は、ＬＣＤモニタ３８のほか、外部モニタたとえばワイドテレビ５０や図示しないＨＤＴＶモニタで鑑賞することができる。すなわちディジタルカメラ１０は、ビデオ出力端子ＴとＤ端子（図示せず）とを有する。ビデオ出力端子Ｔに外部モニタ５０が接続されると、スイッチＳＷはビデオ出力端子Ｔに接続される。この状態で再生処理は、以下のように行われる。
【００２９】
再生操作キー２２によって再生操作が行われると、記録媒体３６から圧縮画像データが読み出される。読み出された圧縮画像データは、そのデータ形式に応じてＪＰＥＧコーデック３２またはＭＰＥＧコーデック３４に与えられ、ＪＰＥＧ伸長またはＭＰＥＧ伸長を施される。ＪＰＥＧ伸長またはＭＰＥＧ伸長を施された画像データは、ＳＤＲＡＭ２４に書き込まれ、その後ＳＤＲＡＭ２４から読み出される。
【００３０】
読み出された画像データは、ビデオエンコーダ２６に与えられ、アスペクト比を保ったままＳＤレベル（横方向６４０画素）まで縮小される。すなわち、読み出された画像データ（原画像）が図３に示す２５６０＊１９２０の静止画像データであれば、図４に示すような６４０＊４８０の縮小静止画像データが生成される。
【００３１】
原画像が図６に示す１２８０＊７２０の動画像データであれば、図７に示すような６４０＊３６０の縮小動画像データが生成される。この後、ビデオエンコーダ２６は、生成された縮小動画像データに対して、上下各々に６４０＊６０の帯画像を結合する。結合される帯画像は、デフォルトでは黒色を有する。
【００３２】
次のような設定操作を行えば、帯画像の色を変更することができる。すなわち、操作キー２２によって設定開始操作が受け付けられると、スイッチＳＷはＬＣＤモニタ３８と接続され、ＯＳＤ回路２８はキャラクタ画像を生成する。生成されたキャラクタ画像は、加算器３０およびスイッチＳＷを介してＬＣＤモニタ３８に与えられ、これによりＬＣＤモニタ３８にメニュー画面が（図示せず）が表示される。ここで“帯色設定”が選択されると、図２に示すような帯色設定画面が表示される。この画面上で“色帯”が選択され、次に所望の色たとえば“灰”が選択され、そして完了操作が受け付けられると、“色帯”および“灰”を示す設定情報がフラッシュメモリ１６内に保持される。この場合、縮小動画像データには、図８（Ｂ）に示すように灰色の色帯が結合される。
【００３３】
こうして、図８（Ａ）に示すような黒帯を有するレターボックス動画像データ、あるいは図８（Ｂ）に示すような色帯を有するレターボックス動画像データが形成される。
【００３４】
生成された縮小静止画像データ、または形成されたレターボックス動画像データは、ＳＤＲＡＭ２４に書き込まれ、その後ＳＤＲＡＭ２４から読み出される。読み出された画像データはビデオエンコーダ２６に与えられる。ビデオエンコーダ２６は、与えられた画像データつまり図４に示す縮小静止画像データ，図８（Ａ）に示す黒帯レターボックス動画像データ，または図８（Ｂ）に示す色帯レターボックス動画像データをコンポジットビデオ信号に変換する。変換されたコンポジットビデオ信号は、加算器３０およびスイッチＳＷを介してビデオ出力端子Ｔからワイドテレビ５０に向けて出力される。
【００３５】
ワイドテレビ５０は、表示倍率の自動切換え機能を有しており、現在、かかる機能がオンされているものとする。ワイドテレビ５０に何の信号も入力されていない状態では、画面は図５（Ａ）のような黒画面となる。このとき図４の静止画像に対応する信号が入力されると、画面は図５（Ｂ）のように変化する。図５（Ｂ）の画面には、図４画像が等倍表示されている。
【００３６】
同じく図９（Ａ）のように黒画面が表示された状態で、図８（Ａ）の黒帯レターボックス動画像に対応する信号が入力されると、画面は図９（Ｂ）を経て図９（Ｃ）のように変化する。すなわち、まず等倍画像が表示され、次に拡大画像が表示される。
【００３７】
同じく図１０（Ａ）のように黒画面が表示された状態で、図８（Ｂ）の色帯レターボックス動画像に対応する信号が入力されると、画面は図１０（Ｂ）のように変化する。すなわち、直ちに等倍画像が表示される。
【００３８】
また、図１１（Ａ）に示すように、図８（Ａ）動画像に基づく拡大画像が表示された状態で、図４静止画像に対応する信号が入力されると、画面は図１１（Ｂ）を経て図１１（Ｃ）のように変化する。すなわち、まず拡大画像が表示され、次に等倍画像が表示される。
【００３９】
一方、図１２（Ａ）に示すように、図８（Ｂ）動画像に基づく等倍画像が表示された状態で、図４静止画像に対応する信号が入力されると、画面は図１２（Ｂ）のように変化する。すなわち、直ちに等倍画像が表示される。
【００４０】
このように、ディジタルカメラ１０が色帯レターボックス動画像を生成することで、ワイドテレビ５０の表示倍率切り換え動作が抑制される。
【００４１】
ＣＰＵ１８は、μＩＴＲＯＮなどのマルチタスクＯＳの制御下で、図１３，図１５および図１６に示すメインタスクと、図１４に示す撮影タスクとを並列的に実行する。なお、これらのフロー図に対応するプログラムは、フラッシュメモリ１６に記憶されている。
【００４２】
図１３を参照して、まずステップＳ１で撮影タスクを起動し、次いでステップＳ３〜Ｓ７のループに入る。ステップＳ３では設定開始操作の有無を判別し、ステップＳ５では再生開始操作の有無を判別し、ステップＳ７では電源オフ操作の有無を判別する。
【００４３】
設定開始操作が行われると、ステップＳ３でＹＥＳと判別し、ステップＳ９に移って撮影タスクを終了する。そしてステップＳ１１で設定処理（後述）を実行し、その後ステップＳ１に戻る。
【００４４】
再生開始操作が行われると、ステップＳ５でＹＥＳと判別し、ステップＳ１３に移って撮影タスクを終了する。そしてステップＳ１５で再生処理（後述）を実行し、その後ステップＳ１に戻る。
【００４５】
電源オフ操作が行われると、ステップＳ７でＹＥＳと判別し、ステップＳ１７に移って撮影タスクを終了する。その後、このメインタスクを終了する。
【００４６】
図１４を参照して、まずステップＳ３１でスルー撮影命令を発行し、その後ステップＳ３３に移って撮影操作の有無を判別する。撮影操作が行われると、ステップＳ３３でＹＥＳと判別し、ステップＳ３５に移る。ステップＳ３５では、現在選択されている撮影モードが動画モードであるか否かを判別する。ここでＹＥＳであれば、ステップＳ３７で動画撮影命令を発行し、その後ステップＳ４１に移る。同じくＮＯであれば、ステップＳ３９で静止画撮影命令を発行し、その後ステップＳ４１に移る。
【００４７】
ステップＳ４１では、記録処理を実行する。記録処理には、ＪＰＥＧコーデック３２またはＭＰＥＧコーデック３４への圧縮命令の発行，圧縮データの記録媒体３６への記録などの処理が含まれる。記録処理が完了すると、ステップＳ３１に戻る。
【００４８】
図１５を参照して、ステップＳ５１では、設定項目として“帯色設定”が選択されたか否かを判別する。ここでＹＥＳであれば、ステップＳ５３でＬＣＤモニタ３８に帯色設定画面（図２参照）を表示する。その後、ステップＳ５５およびＳ５７のループに入る。ステップＳ５５では設定操作の受け付けが完了したか否かを判別し、ステップＳ５７ではキャンセル操作の有無を判別する。
【００４９】
帯色設定画面に向けた操作キー２２の操作によって、黒帯および色帯のどちらか一方が選択され、ここで色帯が選択されれば色の指定がさらに行われる。かかる設定操作の後に確定操作が行われると、ステップＳ５５でＹＥＳと判別し、ステップＳ５９に移って設定結果をフラッシュメモリ１６に保持する。その後、上位層のルーチンに復帰する。キャンセル操作が行われれば、ステップＳ５７でＹＥＳと判別し、上位層のルーチンに復帰する。
【００５０】
図１６を参照して、記録媒体３６内の原画像には識別番号１，２，…が付されており,まずステップＳ７１で変数Ｎに“１”をセットする。続くステップＳ７３では、変数Ｎに対応する原画像が動画像であるか否かを判別する。ここでＮＯであればステップＳ７５で、生成すべき縮小画像の解像度として“６４０＊４８０”をビデオエンコーダ２６に設定し、その後ステップＳ８５に進む。ステップＳ７３でＹＥＳであればステップＳ７７に移り、同じく“６４０＊３６０”をビデオエンコーダ２６に設定する。続くステップＳ７９では、現在選択されている帯色が“黒”であるか否かを判別し、ここでＹＥＳであればステップＳ８１に移って、縮小画像に付加すべき帯画像の色として“黒”をビデオエンコーダ２６に設定する。その後、ステップＳ８５に移る。
【００５１】
ステップＳ７９でＮＯであれば、同じく“指定色”たとえば“灰色”をビデオエンコーダ２６に設定し、その後ステップＳ８５に移る。ステップＳ８５では、再生開始命令を発行する。
【００５２】
発行された再生命令に応答して、ＪＰＥＧコーデック３２が記録媒体３６から静止画像データ（図３参照）を読み出し、読み出されたデータにＪＰＥＧ伸長を施し、そしてＪＰＥＧ伸長が施されたデータをＳＤＲＡＭ２４に書き込む。または、ＭＰＥＧコーデック３４が記録媒体３６から動画像データ（図６参照）を読み出し、読み出されたデータにＭＰＥＧ伸長を施し、そしてＭＰＥＧ伸長が施されたデータをＳＤＲＡＭ２４に書き込む。
【００５３】
ビデオエンコーダ２６は、ＳＤＲＡＭ２４に書き込まれた伸長画像データをＣＰＵ１８の設定（Ｓ７５，Ｓ７７）に従って６４０＊４８０または６４０＊３６０に縮小し、６４０＊３６０に縮小された画像データにはＣＰＵ１８の設定（Ｓ８１，Ｓ８３）に従って黒帯データまたは色帯データを結合する。こうしてＳＤＲＡＭ２４内には、図４に示す縮小静止画像、あるいは図８（Ａ），図８（Ｂ）に示すレターボックス動画像データが生成される。
【００５４】
この後、ビデオエンコーダ２６は、ＳＤＲＡＭ２４から縮小静止画像データまたはレターボックス動画像データを読み出し、読み出された画像データをコンポジットビデオ信号に変換する。変換されたコンポジットビデオ信号は、ビデオ出力端子Ｔからワイドテレビ５０に向けて出力される。
【００５５】
再生開始命令の発行後、ＣＰＵ１８の処理はステップＳ８７およびＳ８９のループに入る。ステップＳ８７では停止操作の有無を判別し、ステップＳ８９では更新操作の有無を判別する。操作キー２２を介して停止操作が行われると、ステップＳ８７でＹＥＳと判別し、ステップＳ９１に移って再生停止命令を発行する。これによって、実行中の再生処理は停止される。この後、上位層のルーチンに復帰する。
【００５６】
操作キー２２を介して更新操作が行われると、ステップＳ８９でＹＥＳと判別し、ステップＳ９３に移って変数Ｎをインクリメントする。この後、ステップＳ７３に戻る。
【００５７】
以上から明らかなように、この実施例のディジタルカメラ１０では、ビデオエンコーダ２６は、イメージセンサ１２で撮影された画像を縮小し、縮小された画像（有効画像）と単一色の無効画像とを有するレターボックス画像（図８（Ａ），図８（Ｂ）参照）を作成する。作成されたレターボックス画像は、ビデオ出力端子Ｔからワイドテレビ５０に向けて出力される。ここでワイドテレビ５０は、無効画像が黒色を有するときに有効画像を拡大倍率で表示するテレビである。ＣＰＵ１８は、帯色設定画面（図２参照）を通して色変更操作を受け付けたとき（Ｓ５３，Ｓ５９）、ビデオエンコーダ２６の設定を変える（Ｓ７９，Ｓ８３）ことで、レターボックス画像を形成する無効画像の色を変更する。
【００５８】
このように、色変更操作の有無によって、ワイドテレビ５０に表示される有効画像の倍率が変化する。換言すれば、ディジタルカメラ１０に向けた操作によって、ワイドテレビ５０の動作が制御される。この結果、撮影された画像をワイドテレビ５０を用いて快適に鑑賞することができる。
【００５９】
また、上記の色変更操作には色指定操作が含まれており、ＣＰＵ１８は、ＳＤＲＡＭ２４に書き込まれる無効画像の色を、色指定操によって指定された色に変更する。
【００６０】
無効画像が黒色とは異なる色を有していれば、ワイドテレビ５０は、レターボックス画像を形成する有効画像および無効画像の両方を等倍で表示する。色指定操作を通して好みの色を指定することで、無効画像が表示されたことによる不快感を軽減できる。
【００６１】
なお、この実施例では、色変更は無効画像の全部に及んだが、無効画像のうち表示倍率切り換えの際に参照される部分の色を少なくとも変更すればよい。たとえば表示倍率切り換えが画面の下端中央にある特定領域を参照して行われる場合、図１７に示すように無効画像の下側半分を変更してもよく、あるいは図１８に示すように下側半分の中央部分だけを変更してもよい。
【００６２】
また、この実施例では、色指定操作は灰、青など単一色を対象としたが、複数の色の組み合わせを指定してもよい。つまり無効画像は無地とは限らず、所定の模様，キャラクタなどを含んでいてもよい。
【００６３】
また、この実施例では、帯色の変更は、再生開始前に行ったが、再生中に行うようにしてもよい。
【００６４】
以上ではディジタルカメラ１０を用いて説明したが、この発明は、たとえばパソコン，画像記録／再生装置など、画像を外部モニタに向けて出力する、あらゆる画像処理装置に適用できる。
【図面の簡単な説明】
【００６５】
【図１】この発明の一実施例の構成を示すブロック図である。
【図２】図１実施例に適用される設定画面の一例を示す図解図である。
【図３】図１実施例に適用される原画像の一例を示す図解図である。
【図４】図３原画像に基づく縮小画像を示す図解図である。
【図５】（Ａ）および（Ｂ）は図４縮小画像に応じたテレビ画面の変化を示す図解図である。
【図６】図１実施例に適用される原画像の他の一例を示す図解図である。
【図７】図７原画像に基づく縮小画像を示す図解図である。
【図８】（Ａ）は図７縮小画像に基づくレターボックス画像の一例を示す図解図であり、（Ｂ）は図７縮小画像に基づくレターボックス画像の他の一例を示す図解図である。
【図９】（Ａ），（Ｂ）および（Ｃ）は図８（Ａ）レターボックス画像に応じたテレビ画面の変化を示す図解図である。
【図１０】（Ａ）および（Ｂ）は図８（Ｂ）レターボックス画像に応じたテレビ画面の変化を示す図解図である。
【図１１】（Ａ），（Ｂ）および（Ｃ）は図８（Ａ）レターボックス画像から図４縮小画像への変化に応じたテレビ画面の変化を示す図解図である。
【図１２】（Ａ）および（Ｂ）は図８（Ｂ）レターボックス画像から図４縮小画像への変化に応じたテレビ画面の変化を示す図解図である。
【図１３】図１実施例に適用されるＣＰＵ動作の一部を示す図解図である。
【図１４】図１実施例に適用されるＣＰＵ動作の他の一部を示す図解図である。
【図１５】図１実施例に適用されるＣＰＵ動作のその他の一部を示す図解図である。
【図１６】図１実施例に適用されるＣＰＵ動作のさらにその他の一部を示す図解図である。
【図１７】図７縮小画像に基づくレターボックス画像のその他の一例を示す図解図である。
【図１８】図７縮小画像に基づくレターボックス画像のさらにその他の一例を示す図解図である。
【符号の説明】
【００６６】
１０…ディジタルカメラ
１２…イメージセンサ
１８…ＣＰＵ
２４…ＳＤＲＡＭ
２６…ビデオエンコーダ
２８…ＯＳＤ回路
３６…記録媒体
５０…ワイドテレビ
【図１】
2006345217.tif 000003
【図２】
2006345217.tif 000004
【図３】
2006345217.tif 000005
【図４】
2006345217.tif 000006
【図５】
2006345217.tif 000007
【図６】
2006345217.tif 000008
【図７】
2006345217.tif 000009
【図８】
2006345217.tif 000010
【図９】
2006345217.tif 000011
【図１０】
2006345217.tif 000012
【図１１】
2006345217.tif 000013
【図１２】
2006345217.tif 000014
【図１３】
2006345217.tif 000015
【図１４】
2006345217.tif 000016
【図１５】
2006345217.tif 000017
【図１６】
2006345217.tif 000018
【図１７】
2006345217.tif 000019
【図１８】
2006345217.tif 000020